(57)【要約】      （修正有）【課題】洗濯・乾燥が容易で、洗濯した後でも付着部材に皺が寄らない便座蓋カバーを提供する。【解決手段】便座蓋に取り付ける便座蓋カバー１であって、蓋カバー本体１１と、ポケット部１４と、付着部材１６を有する。便座蓋カバー本体１１は、便座蓋を覆う大きさと形状を有する。ポケット部１４は、便座蓋カバー本体１１の裏面に位置して少なくとも便座蓋の先端部を包囲するものである。付着部材１６は、便座蓋カバー本体１１の少なくとも後半部裏面に位置して、便座蓋の表面に密着する粘着剤層と、便座蓋の先端方向に開口する少なくとも１本の細溝１８と、便座蓋の後端方向に開口する切り込み１９を有する。さらに洗濯及び乾燥時に、便座蓋カバー本体１１と付着部材１６の間は自由に水が通過する空間を有する。【選択図】図２
2014230582.tif 000002
【特許請求の範囲】
【請求項１】
便座蓋（３１）に取り付ける便座蓋カバー（１）であって、蓋カバー本体（１１）と、ポケット部（１４）と、付着部材（１６）を有し、
前記便座蓋カバー本体（１１）は、前記便座蓋（３１）を覆う大きさと形状を有し、
前記ポケット部（１４）は、前記便座蓋カバー本体（１１）の裏面に位置して少なくとも前記便座蓋（３１）の先端部を包囲するものであり、
前記付着部材（１６）は、前記便座蓋カバー本体（１１）の少なくとも後半部裏面に位置して、前記便座蓋（３１）の表面に密着する粘着剤層（２４）と、前記便座蓋（３１）の先端方向に開口する少なくとも１本の細溝（１８）と、前記便座蓋（３１）の後端方向に開口する切り込み（１９）を有し、
さらに洗濯及び乾燥時に、前記便座蓋カバー本体（１１）と前記付着部材（１６）の間は水が通過する空間（２５）を有する
することを特徴とする便座蓋カバー（１）。
【請求項２】
前記細溝（１８）を３本、前記切り込み（１９）を２個設けた請求項１記載の便座蓋カバー（１）。
【発明の詳細な説明】
【技術分野】
【０００１】
本発明は、洋式便器の便座蓋を装飾的に被覆する便座蓋カバーに関するものである。
【背景技術】
【０００２】
近年、汚れ付着を防止しかつ装飾性を高める目的で便座蓋にカバーを装着することが一般的におこなわれるようになってきた。
【０００３】
便座蓋カバーを便座蓋へ取り付ける方法として、概略次の３種類の方法が知られている(たとえば、これらを併用する実用新案登録第３１４４５６４号公報参照)。
（１）便座蓋の表面を覆う平面状の蓋カバー本体の少なくとも前端部に、便座蓋の前端部を挿入するポケットを設ける。
（２）蓋カバー本体の少なくとも後半部裏面に、便座蓋の表面に密着する粘着層（例えば、吸着盤やアクリル樹脂製の吸着素材、など）を設ける。
（３）蓋カバー本体の後端部や左右側縁部分に便座蓋に係止させる係止手段（例えば、面ファスナ、ボタンなどのファスナ類、先端に係止具を備えたゴム紐、など）を設ける。
【先行技術文献】
【特許文献】
【０００４】
【特許文献１】実用新案登録第３１４４５６４号
【発明の概要】
【発明が解決しようとする課題】
【０００５】
蓋カバー本体の少なくとも後半部裏面にアクリル樹脂などの粘着層を取り付ける方法（上記（２））を採用したとき次のような問題が発生することが分かった。すなわち、蓋カバー本体と付着部材を完全接着させると洗濯が行き届かず、かつ乾燥が遅くなる。また、蓋カバー本体と付着部材の素材の伸縮率が相違するために、洗濯して乾燥させると、付着部材に皺が寄って波打つようになる。そうなると、見栄えが悪くなると共に、吸着力が落ちて便座蓋への再付着に支障をきたすようになる。
【０００６】
本発明は、洗濯・乾燥が容易で、洗濯した後でも付着部材に皺が寄らない便座蓋カバーを提供することを目的とする。
【課題を解決するための手段】
【０００７】
本発明は、便座蓋（３１）に取り付ける便座蓋カバー（１）であって、蓋カバー本体（１１）と、ポケット部（１４）と、付着部材（１６）を有し、前記便座蓋カバー本体（１１）は、前記便座蓋（３１）を覆う大きさと形状を有し、前記ポケット部（１４）は、前記便座蓋カバー本体（１１）の裏面に位置して少なくとも前記便座蓋（３１）の先端部を包囲するものであり、前記付着部材（１６）は、前記便座蓋カバー本体（１１）の少なくとも後半部裏面に位置して、前記便座蓋（３１）の表面に密着する粘着剤層（２４）を有し、かつ、前記便座蓋（３１）の先端方向に開口する少なくとも１本の細溝（１８）と、前記便座蓋（３１）の後端方向に開口する切り込み（１９）を有し、さらに洗濯中及び乾燥時に、前記便座蓋カバー本体（１１）と前記付着部材（１６）の間は水が通過する空間（２５）を有することを特徴とする（請求項１）。
【０００８】
好ましくは、前記細溝は２本以上、より好ましくは３本設け、前記切り込みは１個以上、より好ましくは２個設ける。
【発明の効果】
【０００９】
本発明によれば、洗濯中及び乾燥時に、前記便座蓋カバー本体と前記付着部材の間は自由に水が通過する空間があるので、洗濯が行き届き、さらに洗濯後の汚染水の除去及び乾燥が早い。また、乾燥後、付着部材には細溝があるので、収縮して皺が発生することがない。
【００１０】
以下、添付の図面に基づき、本発明の実施例を説明する。
【図面の簡単な説明】
【００１１】
【図１】本発明の１実施例に係る便座蓋カバーを取り付けた洋式便器の斜視図である。
【図２】図１の便座蓋カバーの（ａ）平面図、（ｂ）底面図、（ｃ）側面図である。
【図３】図２のIII−III断面図である。
【図４】図２のIV−IV断面図である。
【発明を実施するための形態】
【００１２】
図１に示すように、本実施例の便座蓋カバー１は、便器３の便座（図示せず）部分に開閉可能に設けられた便座蓋３１に対して取り付けて使用される。その詳細は図２〜図３に示すようになっている。
【００１３】
図２に示すように、便座蓋カバー本体１１は、楕円を半分に切ったような外観の基布１２（図３、図４）を有する。基布１２表面（上面）にはパイル又はカットパイル１３が植設され、種々のデザインが色糸又はプリントで表現されているのが普通である。基布１２裏面はパイル糸基部が露出しているが外部からは見えないので、そのままにしてある。必要があれば裏生地（図示せず）により被覆することもできる。
【００１４】
便座蓋カバー本体１１の先端部及び左右側部では基布１２表面が下側に回り込んで、便座を部分的に包囲するポケット部１４を形成している。このポケット部１４を含む便座蓋カバー１の周縁部１５は、布テープにより袋状に縫い付けられている。
【００１５】
便座蓋カバー本体１１の少なくとも後半部裏面に、便座蓋の表面に密着する付着部材１６が設けられている。付着部材１６は、図３、図４において、下から剥離シート２２、粘着剤層２３、不織布層２４から構成されている。剥離シート２２は販売時点では粘着剤層２３の表面を覆ってあり、使用に際してこれを除去する。粘着剤層２３としては例えばアクリル樹脂を使用することができる。粘着剤層２３と不織布層２４の両方または片方は、蓋カバー本体裏面の色と調和するように着色することができる。
【００１６】
図２（ｂ）が最もよく示しているように、付着部材１６はほぼ長方形で前方から３本の細溝１８が形成され、後端に２個の幅広の切り込み１９が形成されている。細溝先端２６は角を取って丸めてあるが、これは切り込み１９が不用意に伸びることを防止するためである。付着部材１６と便座蓋カバー本体１１の固定は、付着部材の後端で切り込みのない３カ所２０及び付着部材１６の前方の細溝同士の間４カ所で糸２１による縫い付けにより行われている。
【００１７】
不織布層２４と便座蓋カバー本体１１は付着しないので、図３、図４の断面図に示すように、付着部材１６と便座蓋カバー本体１１の間には縫い付け部を除き空間２５がある。したがって、便座蓋カバー本体１１は大部分が便座蓋カバー本体１１から浮いた状態にある。
【００１８】
この便座蓋カバー１を便座蓋３１に取り付けるには、便座蓋カバー本体１１のポケット１４を便座先端にひっかけて、さらに（剥離シート２２を外して）粘着剤層２３を便座蓋３１の表面に押し付けるだけでよい。便座蓋カバー１を外すときには、その逆の手順による。
【００１９】
便座蓋カバー１が汚れたときには、洗濯をすることができる。洗濯中及び乾燥時に、便座蓋カバー本体１１と付着部材１６の間の空間２５は自由に水が流れるので、洗濯が行き届き、さらに洗濯後の汚染水の除去及び乾燥が早い。また、乾燥後、付着部材１６には細溝１８があるので、収縮して皺が発生することがない。したがって、洗濯を繰り返しても新品に近い状態を維持することができる。
【符号の説明】
【００２０】
１     便座蓋カバー
１１   便座蓋カバー本体
１２   基布
１３   カットパイル
１４   ポケット
１５   周縁部
１６   付着部材
１７   剥離シート
１８   細溝
１９  切り込み
２０  切り込みのない個所
２１   糸
２２  剥離シート
２３  粘着剤層
２４  不織布層
２５  空間
３     便器
３１   便座蓋
【図１】
2014230582.tif 000003
【図２】
2014230582.tif 000004
【図３】
2014230582.tif 000005
【図４】
2014230582.tif 000006